(57)【特許請求の範囲】
【請求項１】
昇降可能に構成された天板の縁辺に沿って天板面よりも上方に突出して形成され、この天板面からの立ち上がり寸法が前記天板の厚みよりも小さい立ち上がり部を有するものであって、
天板の前記縁辺の下面に配線コード受けを取り付け、その配線コード受けに連続する上下方向面の上縁を前記天板面よりも上方に突出させて前記立ち上がり部を構成しており、
前記配線コード受けにはコード受け部が形成され、このコード受け部の上端縁に天板下面添設部が連設され、この天板下面添設部の後端縁を上方に延在させて前記立ち上がり部を構成していることを特徴とする天板付き家具。
【請求項２】
天板縁部に切欠部が形成され、当該切欠部から露出する前記天板下面添設部を第２のコード受け部として利用するとともに、前記切欠部の左右に位置する前記立ち上がり部同士を切欠部の後方で連続させて、前記第２のコード受け部に載置する配線のこぼれ止めの役割を果たす第２の立ち上がり部としていることを特徴とする請求項１に記載の天板付き家具。
【請求項３】
前記立ち上がり部を構成する立ち上がり部構成材と天板の前記縁辺との間に形成される隙間が下方に開放されることを防止する閉塞部を有することを特徴とする請求項１又は２に記載の天板付き家具。
【請求項４】
天板と一体で昇降するデスクトップパネルが取り付けられ、当該デスクトップパネルと天板の前記縁辺との間に前記立ち上がり部が設けられることを特徴とする請求項１〜３の何れかに記載の天板付き家具。
【請求項５】
天板の最端縁に前記立ち上がり部を設けるとともに、前記デスクトップパネルが、前記立ち上がり部の下方を跨ぐ連結部材を介して天板の下面に固定されることを特徴とする請求項４に記載の天板付き家具。
【発明の詳細な説明】
【技術分野】
【０００１】
本発明は、天板面から筆記用具等の物品がこぼれ落ちることを防止できる昇降可能な天板付き家具に関するものである。
【背景技術】
【０００２】
従来より、天板を昇降させて天板面の高さを自在に変更可能な家具が知られている。例えば特許文献１には、天板とそれを支持する左右の脚支柱とを備え、この脚支柱が天板下部に固定される固定脚部と、固定脚部に対して下方に伸縮するように可動する可動脚部とを有し、左右の脚支柱を同期して昇降させて天板面の高さを調整するテーブルが記載されている。
【先行技術文献】
【特許文献】
【０００３】
【特許文献１】特開２０１５−１３４１２４号公報
【発明の概要】
【発明が解決しようとする課題】
【０００４】
ところで、このように天板を昇降可能なテーブルでは、特に天板の昇降時に、天板面上に載置された筆記用具等の物品が転がるなどして移動し、床へ落下しやすくなる。
【０００５】
このような物品の落下を防止するため、天板の縁辺にデスクトップパネルを取り付け、移動する物品をデスクトップパネルでガードすることが考えられるが、デスクトップパネルのように高さおよび幅が大きくかつ重量のあるものは、設置のための機構が比較的大がかりになるので、設置に費用が掛かり、物品の落下を簡単に防止できるものではない。なお、このような問題は、昇降テーブルだけでなく、昇降可能な天板を備える種々の家具で起こり得るものである。
【０００６】
本発明は、上記のような課題を解消することを目的としており、具体的には、天板面に置かれた筆記用具等の物品が落下することを簡単な構成で防止できる天板付き家具を提供することを目的とする。
【課題を解決するための手段】
【０００７】
本発明は、かかる目的を達成するために、次のような手段を講じたものである。
【０００８】
すなわち、本発明の天板付き家具は、昇降可能に構成された天板の縁辺に沿って天板面よりも上方に突出して形成され、この天板面からの立ち上がり寸法が前記天板の厚みよりも小さい立ち上がり部を有するものであって、天板の前記縁辺の下面に配線コード受けを取り付け、その配線コード受けに連続する上下方向面の上縁を前記天板面よりも上方に突出させて前記立ち上がり部を構成しており、前記配線コード受けにはコード受け部が形成され、このコード受け部の上端縁に天板下面添設部が連設され、この天板下面添設部の後端縁を上方に延在させて前記立ち上がり部を構成していることを特徴とする。
【０００９】
このような構成であると、天板を昇降させた際に、天板面に置かれた筆記用具等の物品が転がるなどして移動したとしても、縁辺に沿って形成された立ち上がり部にガードされるので、物品の床へのこぼれ落ちが防止される。またこのような立ち上がり部は、天板の厚みよりも立ち上がり寸法が小さく、厚みや重量が小さくて済むので、デスクトップパネルを設置するよりも簡単に構成できる。したがって、天板面からの物品のこぼれ落ちを簡単に防止できる昇降可能な天板付き家具を実現できる。
また、天板の前記縁辺の下面に配線コード受けを取り付け、その配線コード受けに連続する上下方向面の上縁を前記天板面よりも上方に突出させて前記立ち上がり部を構成しているので、別途に立ち上がり部を構成する部材を持ち込む必要がなく、簡単な構造にすることができる。
さらに、前記配線コード受けに形成されるコード受け部の上端縁に天板下面添設部が連設され、この天板下面添設部の後端縁を上方に延在させて前記立ち上がり部を構成しているので、一枚の板金の塑性変形加工によって立ち上がり部および配線コード受けを簡単に構成することができる。
【００１０】
天板縁部に切欠部が形成され、当該切欠部から露出する前記天板下面添設部を第２のコード受け部として利用する場合に、当該第２のコード受け部からの配線の落下を簡単に防止するためには、前記切欠部の左右に位置する前記立ち上がり部同士を切欠部の後方で連続させて、前記第２のコード受け部に載置する配線のこぼれ止めの役割を果たす第２の立ち上がり部としていることが好適である。
【００１１】
さらに、紙などの薄いものが天板と立ち上がり部との隙間から床に落下することを防止して、こぼれ止めの機能を有効に発揮するためには、前記立ち上がり部を構成する立ち上がり部構成材と天板の縁辺との間に形成される隙間が下方に開放されることを防止する閉塞部を有することが好適である。
【００１３】
上述した物品のこぼれ落ち防止の効果に加えて、プライバシーの確保を図るためには、天板と一体で昇降するデスクトップパネルが取り付けられ、当該デスクトップパネルと天板の縁辺との間に前記立ち上がり部が設けられることが好適である。
【００１４】
この場合にデスクトップパネルを好適に取り付けるためには、天板の最端縁に前記立ち上がり部を設けるとともに、前記デスクトップパネルが、前記立ち上がり部の下方を跨ぐ連結部材を介して天板の下面に固定されることが好適である。
【発明の効果】
【００１６】
本発明は、以上説明した構成であるから、天板の昇降時に天板面に置かれた筆記用具等の物品が転がるなどして移動したとしても、立ち上がり部によってガードでき、物品の天板面から床への落下を簡単に防止可能な天板付き家具を提供することができる。
【図面の簡単な説明】
【００１７】
【図１】本発明の一実施形態に係る昇降テーブルを示す斜視図。
【図２】同テーブルの天板を透視した平面図。
【図３】同テーブルから天板および操作部を取り外した状態で示す斜視図。
【図４】同テーブルの上部の側面図。
【図５】同テーブルの切欠部周辺を拡大して示す斜視図。
【図６】同テーブルから吊り下げられる収納箱を示す斜視図。
【図７】同収納箱の分解斜視図。
【図８】本発明の変形例を示す斜視図。
【図９】図８に示す変形例を斜め下方から見た斜視図。
【図１０】本発明の他の変形例を示す斜視図。
【発明を実施するための形態】
【００１８】
以下、本発明の一実施形態を、図面を参照して説明する。
【００１９】
図１に示すように、本実施形態の天板付き家具としての自動昇降テーブル１は、互いに対向して配置される一対の脚支柱２，２と、一対の脚支柱２，２によって支持される略矩形状の天板３とを備える。
【００２０】
天板３は、後述する収納箱を吊り下げ支持する箇所を有し、人が着座する側である一方の縁辺３ａ側の下面に、奥方に向かって下り勾配となる傾斜が付けてあり、それによって天板３の厚みを見掛け上薄くしてスマートにするとともに、昇降操作のために取り付けられる操作部Ｃを使用者から見やすくしている。図１及び図２に示すように、天板３は、一方の縁辺３ａ側に幅方向中央部に浅く凹み３２が形成されるとともに、他方の縁辺３ｂの幅方向中央部に平面視台形の切欠部３１が形成されている。
【００２１】
図１に示す一対の脚支柱２，２が有する支柱２２は、３段テレスコープ状に部材を嵌合させたものであり、図示しないボールねじタイプの昇降駆動機構を内蔵する。支柱２２の下端に取り付けられたベース２４は、鉄板を折り曲げて形成されており、表面に塗装が施してある。支柱２２の下端は、ベース２４の鉄板にボルトや溶接で固定される。このようなベース２４および支柱２２を含む脚支柱２の形状は、側面視逆Ｔ字状に構成される。左右の支柱２２，２２の上部には、前後方向に延びて天板３の左右端部３ｃ，３ｃ（図１参照）の下面を支持する天板取り付けブラケット２１が取り付けられる。
【００２２】
図３に示すように、左右の支柱２２，２２の間には、中央ダクト５が架け渡される。中央ダクト５は、２枚の板金をそれぞれ折り曲げ加工してわずかな隙間を空けて突き合わせ、その両端部が左右のブラケット２１，２１にビスにより固定されている。このような中央ダクト５は、前後方向中央部が凹んだ逆ハット型の横断面を有するものであり、図２に示すように、底板５１に、幅方向中央部が拡開した拡開部５２ａを有するスリット５２が形成される。このスリット５２の左右方向の複数箇所には、コードを引っ掛けるために開口を広げたコード引っ掛け部５２ｂが形成される。また、このスリット５２を利用することで、天板３の下方を仕切る図示しない幕板が取り付けられてもよい。
【００２３】
中央ダクト５内であって、拡開部５２ａの近傍には、左右の脚支柱２に内蔵された昇降メカである図示しない昇降駆動機構を同期駆動させ、天板３を昇降させる駆動ユニットＹが収納され、駆動ユニットＹから左右の昇降メカまで図示しない配線を導くようにしている。なお、天板３は、例えば、図１に示すように、一般的な成人が椅子に着席姿勢で適切に利用できる高さ位置から、起立姿勢で肘をついて利用できる高さ位置の間で昇降可能に構成される。
【００２４】
操作部Ｃは、天板３の一方の縁辺３ａ側の下面３３に取り付けられる。操作部Ｃは、天板３を等ピッチで昇降させるメインスイッチの他、天板３を数ピッチ単位で昇降させるサブスイッチを有する。操作部Ｃへの配線コードは後述するコードダクトから中央ダクト５を通り、駆動ユニットＹの配線とともに床面に導かれる。
【００２５】
天板３の下面３３であって、他方の縁辺３ｂ側には、天板３の幅方向全体に亘って配線コード受け６が取り付けられる。図２〜５に示すように、配線コード受け６は、天板３の幅方向に延びる底部６１と底部６１の前後方向両端からそれぞれ立ち上がる第１，第２の上下方向面６２ａ，６２ｂとで構成される第１のコード受け部６Ａと、第１のコード受け部６Ａの後方側の上端縁に連接する天板下面添設部６３と、天板下面添設部６３の後端から立ち上がる第３の上下方向面６４とを有し、一枚の板金の塑性変形加工によって作製される。第１のコード受け部６Ａの底部６１は、幅方向中央部が図５に示すように平面視長方形に切欠かれており、この切欠き６１ａの左右に第１の上下方向面６２ａが形成される。また、底部６１において切欠き６１ａの近傍には、複数の配線コード孔６１ｂが形成される。また、第２の上下方向面６２ｂは、第１の上下方向面６２ａよりも上方に延び、底部６１から天板下面添設部６３の左右方向両端部に向けて幅方向に広がりながら延びる正面視台形状である（図３参照）。天板下面添設部６３は、天板３の幅方向略全体に亘って形成され、天板３の他方の縁辺３ｂ近傍を下方から支持した状態で天板３の下面３３にねじ止めされる。天板下面添設部６３は、幅方向中央部が、天板縁部に形成された図５に示す切欠部３１から露出し、その露出部分がコンセントタップＣ等をマグネットで着脱することが可能な第２のコード受け部６Ｂとして利用される。
【００２６】
このような天板下面添設部６３の最後縁には、図４に示すように、立ち上げ部構成材としての第３の上下方向面６４が、天板面３ｃよりも上方に突出する位置まで起立し、第３の上下方向面６４の上縁により、立ち上がり寸法ｔ１が天板３の厚みｔ２よりも小さい第１の立ち上がり部６５ａが構成される。第１の立ち上がり部６５ａは、天板３のうち人が着座しない側である他方の縁辺３ｂの全幅に亘って形成される。第１の立ち上がり部６５ａは、図１及び図５に示すように天板３の切欠部３１の左右に形成され、天板３の昇降等に伴って天板面３ｃに置かれた筆記用具などの物品が転がるなどして移動した場合に、物品をガードして床へ落下することを防止する。また、第３の上下方向面６４のうち長手方向中央付近の上縁には、左右の第１の立ち上がり部６５ａと連続し、第２のコード受け部６Ｂに載置される配線のこぼれ止めとしての役割を果たす第２の立ち上がり部６５ｂも形成される。このような配線コード受け６において、立ち上がり部構成材としての第３の上下方向面６４と天板３の縁辺３ｂとの間の隙間δ（図５参照）は、閉塞部としての天板下面添設部６３により下方に開放されることが防止される。
【００２７】
天板３には、例えばデスクトップ型パソコン本体などを収納するための図６に示すような収納箱４が前後一対の収納箱取付ブラケット４２を介して取り付けられる。
【００２８】
収納箱取付ブラケット４２は、収納箱４を吊り下げる吊下げ部４２ｂと、吊下げ部４２ｂの下部に吊り下げられて収納箱取付ブラケット４２の他端部となり、吊下げ部４２ｂよりも左右に拡開し、収納箱４の荷重を受ける荷重受け部４２ａと、吊下げ部４２ｂの上方から左右に延びて収納箱取付ブラケット４２の一端部となる天板固定部４２ｃとを有し、吊下げ部４２ｂおよび荷重受け部４２ａにより正面視逆Ｔ字状、吊下げ部４２ｂおよび天板固定部４２ｃにより正面視Ｔ字状に形成される。天板固定部４２ｃにはねじ挿通孔４２ｃ１が形成され、収納箱取付ブラケット４２は、ねじ挿通孔４２ｃ１を介して下方から図１に示す天板３の下面３３にねじ等の固定具で固定されている。荷重受け部４２ａは、平面視矩形状であり、収納箱４の上面に形成される第１の差し込み孔４４ａの後部の幅広部４４ａ１とほぼ同じ形状かつ幅広部４４ａ１よりもわずかに小さく構成され、幅広部４４ａ１に上方から差込可能である。
【００２９】
また、吊下げ部４２ｂは、天荷重受け部４２ａの幅方向中央から延びて、上下方向中央部が幅狭に構成されており、この吊下げ部４２ｂが、第１の差し込み孔４４ａの前部にあって幅広部４４ａ１の幅方向中央から連続して延びる幅狭部４４ａ２に後方から差込可能に構成される。第１の差し込み孔４４ａの前方には収納箱４の上部としての後述するブラケット固定部４７（図７参照）が位置し、幅狭部４４ａ２に差し込まれた一方の収納箱取付ブラケット４２の荷重受け部４２ａが下方よりブラケット固定部４７に当接する。また、収納箱４の上面かつ後端部には、幅狭部４４ａ２と同幅でかつ後方に開放された第２の差し込み孔４４ｂが形成され、このような第２の差し込み孔４４ｂの前方にも後述するブラケット固定部４７が配置される。他方の収納箱取付ブラケット４２は、吊下げ部４２ｂを第２の差し込み孔４４ｂに差し込むことで、荷重受け部４２ａがブラケット固定部４７に下方から当接する。
【００３０】
図７に示すように、収納箱４は、逆Ｌ型の２枚の側板４５，４５を上連結部４Ａと下連結部４Ｂとを介在させて溶接により接合して図６に示す収納箱４の筐体を構成している。側板４５，４５の上面には、前後方向の略中央と後端部にそれぞれ切欠き４５ａ，４５ｂが形成され、２枚の側板４５，４５が突き合わされることで図６に示すＴ型の第１の差し込み孔４４ａと、略矩形状の第２の差し込み孔４４ｂとを形成する。
【００３１】
ここで、一枚の板金の折り曲げ加工によって収納箱の筐体全体を構成することも考えられるが、その場合、底板と側板のコーナーにＲが形成されて実質的な収納幅が狭まることになる。これに対して、逆Ｌ型の２枚の側板４５，４５を上連結部４Ａと下連結部４Ｂとで繋いて構成される収納箱４であれば、コーナーが直角になるので収納幅Ｗが狭まらず、収容空間Ｓを広くできる。また、左右の側板４５，４５同士の間隔をあけることで、幅違いの収納箱４を簡単に構成することができる。
【００３２】
図７に示すように、上連結部４Ａは、左右一対の側板部４６，４６と、側板部４６，４６の上部同士を連結する位置にあって収納箱取付ブラケット４２の固定先となる、前後一対の上向きチャネル状をなすブラケット固定部４７とを有する。
【００３３】
側板部４６，４６の内側には引き出し４１を引き出すためのサスペンションレール４６ａが形成されており、引き出し４１はその側面に形成されたレール受け４１ａを介して側板部４６，４６間に引き出し可能に挿入される。
【００３４】
下連結部４Ｂは、矩形板状の被載置部４８と、被載置部４８の前端から下方に湾曲した垂下部４８ａと、被載置部４８の後端から立ち上がる起立部４８ｂとを有し、被載置部４８と引出支持板４９との間に形成される収容空間Ｓに、デスクトップ型パソコン本体などを配置することができる。また、収納箱取付ブラケット４２，４２の天板固定部４２ｃ，４２ｃ間に亘って（収納箱取付ブラケット４２，４２の左右の腕の間を通って）前後に延びるコードダクト４３が架け渡されており、操作部Ｃ（図１参照）への図示しない配線コードは、このコードダクト４３内に収容される。
【００３５】
各収納箱取付ブラケット４２の荷重受け部４２ａおよびブラケット固定部４７には、互いに対応する位置に固定具取付孔としてのねじ挿通孔４２ａ１またはねじ孔４７ａが形成されており、引き出し４１を引き抜いた状態で、ブラケット固定部４７の下方から、ねじ挿通孔４２ａ１およびねじ孔４７ａを介してねじなどの固定具で収納箱４を収納箱取付ブラケット４２に固定可能に構成される。また、収納箱取付ブラケット４２，４２が収納箱４の差し込み孔４４ａ，４４ｂから差し込まれて、ともに面で構成される荷重受け部４２ａとブラケット固定部４７とが互いに当接した状態は、天板３に２つの収納箱取付ブラケット４２を介して収納箱４が吊り下げ担持された状態にあり、ブラケット固定部４７は収納箱４の荷重を受ける被荷重受け部となる。また、ねじ挿通孔４２ａ１およびねじ孔４７ａは、収納箱取付ブラケット４２を介して天板３に収納箱４が吊り下げられた状態で荷重受け部４２ａの位置を固定する外れ防止固定部として機能する。
【００３６】
このような収納箱４は、引き出し４１が引き出されている状態で、収納箱取付ブラケット４２が収納箱４の差し込み孔４４ａ，４４ｂに差し込まれてブラケット固定部４７の下面に当接し、その荷重が一旦ブラケット固定部４７に支持された状態で下方からねじ止めされることで、吊り下げ構造Ｘが構成され、収納箱４は天板３に吊り下げられた状態で固定される。その後、引き出し４１はサスペンションレール４６ａ，４６ａ間に挿入される。
【００３７】
この状態において、天板３と収納箱４の間には隙間が形成され、意匠上美しく見せる効果を得ることに加えて、操作部Ｃを配置するスペースの確保を図っている。
【００３８】
以上のように、本実施形態の天板付き家具としての昇降テーブル１は、昇降可能に構成された天板３の縁辺３ｂに沿って天板面３ｃよりも上方に突出して形成され、この天板面３ｃからの立ち上がり寸法ｔ１が天板３の厚みｔ２よりも小さい第１の立ち上がり部６５ａを有する。
【００３９】
このような構成であると、天板３を昇降させた際に、天板面３ｃに置かれた筆記用具等の物品が転がるなどして移動したとしても、他方の縁辺３ｂに沿って形成された第１の立ち上がり部６５ａにガードされるので、物品の床へのこぼれ落ちが防止される。またこのような第１の立ち上がり部６５ａは、天板３の厚みｔ２よりも立ち上がり寸法ｔ１が小さく、厚みや重量が小さくて済むので、デスクトップパネルを設置するよりも簡単に構成できる。したがって、天板面３ｃからの物品のこぼれ落ちを簡易に防止できる昇降可能な天板付き家具１を実現できる。
【００４０】
特に、第１の立ち上がり部６５ａを構成する立ち上がり部構成材としての第３の上下方向面６４と天板３の縁辺３ｂとの間に形成される隙間δが下方に開放されることを防止する閉塞部として天板下面添設部６３を有することから、紙などの薄いものが天板３と第１の立ち上がり部６５ａとの隙間δから床に落下することを防止でき、こぼれ止めの機能を有効に発揮することができる。
【００４１】
さらに、天板３の縁辺３ｂの下面３３に配線コード受け６を取り付け、その配線コード受け６に連続する第３の上下方向面６４の上縁を天板面３ｃよりも上方に突出させて第１の立ち上がり部６５ａを構成することから、別途に第１の立ち上がり部６５ａを構成する部材を持ち込む必要がなく、簡単な構造にすることができる。
【００４２】
特に、配線コード受け６に形成される第１のコード受け部６Ａの上端縁に天板下面添設部６３が連設され、この天板下面添設部６３の後端縁を上方に延在させて第１の立ち上がり部６５ａを構成していることから、一枚の板金の塑性変形加工によって第１の立ち上がり部６５ａおよび配線コード受け６を簡単に構成でき、天板下面添設部６３を利用すれば、天板３への固定も適切に行うことができる。
【００４３】
また、天板縁部に切欠部３１が形成され、当該切欠部３１から露出する天板下面添設部６３を第２のコード受け部６Ｂとして利用するとともに、切欠部３１の左右に位置する第１の立ち上がり部６５ａ，６５ａ同士を切欠部３１の後方で連続させて、第２のコード受け部６Ｂに載置する配線のこぼれ止めの役割を果たす第２の立ち上がり部６５ｂとしていることから、天板面３ｃからの物品の落下を防止する第１の立ち上がり部６５ａ，６５ａを利用して第２の立ち上がり部６５ｂを形成でき、配線コード受け６に配線のこぼれ止めとしての機能を兼ねさせることができる。
【００４４】
以上、本発明の一実施形態について説明したが、各部の具体的な構成は、上述した実施形態のみに限定されるものではなく、本発明の趣旨を逸脱しない範囲で種々変形が可能である。なお、以下の変形例では、実施形態と同様の構成については同じ符号を付して説明を省略する。
【００４５】
例えば、図８に示す昇降テーブル１１のように、天板３の他方の縁辺３ｂ側に、天板３の上下に延びるデスクトップパネル７が取り付けられたり、デスクトップパネル７と第１の立ち上がり部６５ａとの間の隙間にオプション部材８１，８２が取り付けられる構成であってもよい。デスクトップパネル７は、図９に示すように、配線コード受け６の左右方向両端部であって、第１のコード受け部６Ａが形成されていない部分の下方を跨ぐ連結部材７２により天板３の下面３３に固定される。連結部材７２は、デスクトップパネル７の前面に沿って上下方向に延びてデスクトップパネル本体７１の前面にねじ等の固定具で固定されるパネル連結部分７２ａと、天板３の下面３３に沿って前後方向に延びて天板３の下面３３にねじ等の固定具で固定される天板連結部分７２ｂと、これらの間を連結し、天板下面添設部６３の両端部との干渉を避ける凹みが形成された連結部分７２ｃとを有する。デスクトップパネル７は、このような連結部材７２がパネル本体７１の左右方向に沿って複数配置されて天板３に固定される。
【００４６】
このように、天板３と一体で昇降するデスクトップパネル７が取り付けられ、当該デスクトップパネル７と天板３の縁辺３ｂとの間に第１の立ち上がり部６５ａが設けられることから、これらの両方を天板３に取り付け可能となり、デスクトップパネル７によりプライバシーを確保できるとともに、第１の立ち上がり部６５ａにより天板３とデスクトップパネル７との間から物が落ちることを防止できる。
【００４７】
さらに、天板３の最端縁に第１の立ち上がり部６５ａを設けるとともに、デスクトップパネル７が、第１の立ち上がり部６５ａを下方に跨ぐ連結部材７２を介して天板３の下面３３に固定されていることから、第１の立ち上がり部６５ａとデスクトップパネル７との取付部分の取り合いを適切に処理して、デスクトップパネル７を好適に取り付けることができる。
【００４８】
また、オプション部材８１，８２としては、例えば、底板８２ｄと底板８２ｄの幅方向両端から起立する側板８２ａ，８２ａと底板８２ｄの後端から起立する背板８２ｅとを有するトレー８２や、板状の載置台８１ａを有する電話台８１が設けられる。これらのオプション部材８１，８２は、さらに、第１立ち上がり部６５ａの後方を通過して天板下面添設部６３の下面まで延びる支柱部８２ｂと、天板下面添設部６３にねじ等の固定具で固定される略板状の基台部８２ｃとを有する。基台部８２ｃは、天板連結部分７２ｂに沿って延び、複数箇所で固定される。
【００４９】
さらに、図１０に示すテーブル１２のように、固定パーティション９が取り付けられてもよい。固定パーティション９は、天板３の他方の縁辺３ｂの全幅に亘って床面から延びるデスクトップパネル７よりも大型の板で、よりプライバシーが確保される。
【００５０】
このような固定パーティション９が有する固定パーティション本体９１の下方には、側面視略Ｌ字状の固定部材９２が取り付けられる。固定部材９２の底部９３には、重量の大きい脚支柱２のベース２４が被せてあり、これによって、固定部材９２と脚支柱２とをねじ等の固定具で固定することなく、固定パーティション９を安定して設置している。さらに、このような固定パーティション９は、天板３の他方の縁辺３ｂにのみ取り付けられる構成に限定されず、図１０に二点鎖線で示すように、天板３の左右端部に沿う側固定パーティション９５がさらに取り付けられてもよい。
【００５１】
また、本実施形態では、第１の立ち上がり部６５ａは、配線コード受け６の一部に形成されて天板３の最端縁に設けられたが、これに限定されず、天板３に直接形成されてもよく、人が着座しない縁辺であってこぼれ止めを要する位置であれば、天板の左右の側縁辺などどこに設けられてもよい。また、天板３の中央部に配線を通す開口（配線挿通口）が形成される場合には、その開口の縁部に形成されてもよい。なお、本実施形態では天板３の切欠部３１の縁部には物品が落下しても配線コード受け６で受けられるために立ち上がり部を形成していないが、当該切欠部３１の縁部に形成される構成であってもよい。
【００５２】
さらに、上記実施形態においては、天板付き家具としてのテーブル１に適用された例を示しているが、他の天板付き家具に適用されてもよい。
【００５３】
その他の構成も、本発明の趣旨を逸脱しない範囲で種々変形が可能である。
【符号の説明】
【００５４】
１，１１，１２・・・昇降テーブル
３・・・天板
３ｂ・・・天板の縁辺
３ｃ・・・天板面
６・・・配線コード受け
６Ａ・・・第１のコード受け部
６Ｂ・・・第２のコード受け部
７・・・デスクトップパネル
３１・・・切欠部
３３・・・天板の下面
６３・・・天板下面添設部（閉塞部）
６４・・・第３の上下方向面（立ち上がり部構成材）
６５ａ・・・立ち上がり部
６５ｂ・・・第２の立ち上がり部
７２・・・連結部材
ｔ１・・・立ち上がり寸法
ｔ２・・・天板の厚み
Ｌ・・・隙間
【図１】
0006675857.tif 000002
【図２】
0006675857.tif 000003
【図３】
0006675857.tif 000004
【図４】
0006675857.tif 000005
【図５】
0006675857.tif 000006
【図６】
0006675857.tif 000007
【図７】
0006675857.tif 000008
【図８】
0006675857.tif 000009
【図９】
0006675857.tif 000010
【図１０】
0006675857.tif 000011